(57)【特許請求の範囲】
【請求項１】
支持体上に少なくともイエロー、マゼンタ、及びシアンの色材層が設けられ、該各色材層が熱移行性色素と結着剤とを含有する感熱転写用シートにおいて、
該熱移行性色素として、
イエローの色材層が、下記一般式（Ｉ）で表されるピラゾロンメチン系色素を少なくとも一種含み、
マゼンタの色材層が、下記一般式（II）〜（VII）で表される色素から選ばれる少なくとも一種の色素を含み、
シアンの色材層が、下記一般式（VIII）〜（XII）で表される色素から選ばれる少なくとも一種の色素を含むことを特徴とする感熱転写用シートセット。
【化１】
0004337320.tif 000032
【化２】
0004337320.tif 000033
【化３】
0004337320.tif 000034
（式中、環Ａ−１、環Ｂ−１〜Ｂ−６及び環Ｄ−１は、それぞれ、任意の置換基を有していても良いベンゼン環を表し、
環Ｃは、置換基を有していても良い、ベンゼン環又はピリジン環を表し、
Ｒ1A〜Ｒ1J，Ｒ2A〜Ｒ2Jは、それぞれ独立に、水素原子、置換されていても良いアルキル基、アリル基、置換されていても良いアリール基、又は、置換されていても良いシクロアルキル基を表し、
Ｒ3Aは、置換されていても良いアルコキシ基を表し、
Ｒ4A，Ｒ4Bは、それぞれ独立に、置換されていても良いアルキル基、又は、置換されていても良いアリール基を表し、
Ｒ5C，Ｒ6A〜Ｒ6Dは、それぞれ独立に、水素原子、置換されていても良いアルキル基、又は、置換されていても良いアリール基を表し、
Ｒ7は、水素原子、置換されていても良いアルキル基、アリル基、又は、置換されていても良いアリール基を表し、
Ｒ8，Ｒ9は、それぞれ独立に、アミノ基、又は、ヒドロキシ基を表し、
Ｒ10，Ｒ11は、それぞれ独立に、水素原子、又は、置換されていても良いアリールオキシ基を表し、
Ｒ12，Ｒ13は、それぞれ独立に、シアノ基、ニトロ基、置換されていても良いアルキル基、ハロゲン原子、又は、水素原子を表し、
Ｒ14は、水素原子、ニトロ基、又は、置換されていても良いアルキル基を表し、
Ｒ15A〜Ｒ15Dは、水素原子、又は、置換されていても良いアルキル基を表し、
Ｒ16は、置換されていても良いアルキル基、置換されていても良いシクロアルキル基、又は、ＮＲ17Ｒ18基を表し（Ｒ17、Ｒ18は、それぞれ独立に、置換されていても良いアルキルカルボニル基、又は、置換されていても良いアリールカルボニル基を表す。）、
Ｒ19は、置換されていても良いアルキル基、置換されていても良いアルコキシ基、置換されていても良いアリール基、又は、置換されていても良いアリールオキシ基を表し、
Ｒ20は、置換されていても良いアルキル基、置換されていても良いアリール基、又は、ヒドロキシ基を表し、
Ｒ21は、シアノ基、ＣＯＯＲ5G基、又は、ＣＯＮＲ5HＲ6H基を表し（Ｒ5G，Ｒ5H，Ｒ6Hは、それぞれ独立に、水素原子、置換されていても良いアルキル基、又は、置換されていても良いアリール基を表す。）、
ＸはＳＲ4C基、Ｓ（Ｏ）Ｒ4D基又はＳＯ2Ｒ4E基を表し（Ｒ4C〜Ｒ4Eは、置換されていても良いアルキル基、又は、置換されていても良いアリール基を表す。）、
Ｙは、ＣＨ基又はＮを表し、
Ｚは、水素原子、又は、ハロゲン原子を表す。）
【請求項２】
請求項１に記載の感熱転写用シートセットにおいて、一般式（Ｉ）〜（XII）で示される色素の、
環Ａ−１が、一般式（Ｉ)に示される置換基の他に置換基を有していないか、或いは、置換基として、炭素数１〜１０の、置換されていても良いアルキル基、炭素数１〜１０の、置換されていても良いアルコキシ基、又は、ハロゲン原子を有するベンゼン環を表し、
環Ｂ−１〜Ｂ−６が、それぞれ一般式（II）、（III）、（Ｖ）、（IX）、（XI）、（XII）に示される置換基の他に置換基を有していないか、或いは、置換基として、炭素数１〜１０の、置換されていても良いアルキル基、炭素数１〜１０の、置換されていても良いアルコキシ基、ハロゲン原子、ＮＨＣＯＲ4F基、又は、ＮＨＳＯ２Ｒ4G基を有するベンゼン環を表し、
環Ｃは、一般式（VII）に示される置換基の他に置換基を有していないか、或いは、置換基として、炭素数１〜１０の、置換されていても良いアルキル基、炭素数１〜１０の、置換されていても良いアルコキシ基、ハロゲン原子、ＮＨＣＯＲ4H基、或いは、ＮＨＳＯ２Ｒ4I基を有する、ベンゼン環又はピリジン環を表し、
環Ｄ−１は、一般式（XII）に示される置換基の他に置換基を有していないか、或いは、置換基として、炭素数１〜１０の、置換されていても良いアルキル基、炭素数１〜１０の、置換されていても良いアルコキシ基、ハロゲン原子、シアノ基、ニトロ基、又は、炭素数２〜１１のＣＯＯＲ5B基を有するベンゼン環を表し、
Ｒ1A〜Ｒ1J，Ｒ2A〜Ｒ2Jは、それぞれ独立に、炭素数１〜１２の、置換されていても良いアルキル基、アリル基、炭素数５〜１０の、置換されていても良いアリール基、又は、炭素数５〜７の、置換されていても良いシクロアルキル基を表し、
Ｒ3Aは、炭素数１〜８の、置換されていても良いアルコキシ基を表し、
Ｒ4A〜Ｒ4Iは、それぞれ独立に、炭素数１〜１２の、置換されていても良いアルキル基、又は、炭素数６〜１０の置換されていても良いアリール基を表し、
Ｒ5C，Ｒ5G，Ｒ5H，Ｒ6A〜Ｒ6D，Ｒ6Hは、それぞれ独立に、水素原子、炭素数１〜１０の、置換されていても良いアルキル基、又は、炭素数５〜１９の、置換されていても良いアリール基を表し、
Ｒ7は、水素原子、炭素数１〜１０の、置換されていても良いアルキル基、アリル基、又は、炭素数５〜１９の、置換されていても良いアリール基を表し、
Ｒ8，Ｒ9は、それぞれ独立に、アミノ基又はヒドロキシ基を表し、
Ｒ10，Ｒ11は、それぞれ独立に、水素原子、又は、炭素数５〜１０の、置換されていても良いアリールオキシ基を表し、
Ｒ12，Ｒ13は、それぞれ独立に、シアノ基、ニトロ基、炭素数１〜４の、置換されていても良いアルキル基、ハロゲン原子、又は、水素原子を表し、
Ｒ14は、水素原子、ニトロ基、又は、炭素数１〜８の、置換されていても良いアルキル基を表し、
Ｒ15A〜Ｒ15Dは、それぞれ独立に、水素原子、又は、炭素数１〜１０の、置換されていても良いアルキル基を表し、
Ｒ16は、炭素数１〜１０の、置換されていても良いアルキル基、炭素数５〜１０の、置換されていても良いシクロアルキル基、又は、ＮＲ17Ｒ18基を表し（Ｒ17，Ｒ18は、それぞれ独立に、炭素数２〜９の、置換されていても良いアルキルカルボニル基、又は、炭素数６〜１０の、置換されていても良いアリールカルボニル基を表す。）、
Ｒ19は、炭素数１〜１０の、置換されていても良いアルキル基、炭素数１〜１０の、置換されていても良いアルコキシ基、炭素数５〜１０の、置換されていても良いアリール基、又は、炭素数５〜１０の、置換されていても良いアリールオキシ基を表し、
Ｒ20は、炭素数１〜１０の、置換されていても良いアルキル基、炭素数５〜１０の、置換されていても良いアリール基、又は、ヒドロキシ基を表し、
Ｒ21は、シアノ基、炭素数１〜９のＣＯＯＲ5G基、又は、炭素数２〜１９のＮＨＲ5HＲ6H基を表し、
Ｘは、炭素数１〜８のＳＲ4C基、Ｓ（Ｏ）Ｒ4D基、又は、ＳＯ2Ｒ4E基を表し、
Ｙは、ＣＨ基、又は、Ｎを表し、
Ｚは、水素原子、又は、ハロゲン原子を表すことを特徴とする感熱転写用シートセット。
【請求項３】
請求項１又は２に記載の感熱転写用シートセットにおいて、イエロー色材層が、更に、下記一般式（XIII）〜（XVI）で表される色素のうちの１種又は２種以上を含有することを特徴とする感熱転写用シートセット。
【化４】
0004337320.tif 000035
（式中、環Ａ−２、環Ｄ−２、Ｄ−３、環Ｅ、環Ｆは、それぞれ任意の置換基を有していても良いベンゼン環を表し、
Ｒ1K，Ｒ2Kは、それぞれ独立に、水素原子、置換されていても良いアルキル基、アリル基、置換されていても良いアリール基、又は、置換されていても良いシクロアルキル基を表し、
Ｒ3Bは、水素原子、置換されてもよいアルキル基、ＮＲ5JＲ6J基、置換されていても良いアルコキシ基、置換されていても良いアルコキシカルボニル基、置換されていても良いアリール基、又は、Ｃ（Ｏ）ＮＲ5KＲ6K基を表し、
Ｒ4J，Ｒ4Kは、それぞれ独立に、置換されていても良いアルキル基、又は、置換されていても良いアリール基を表し、
Ｒ22は、シアノ基、又は、ＣＯＯＲ6Lを表し、
Ｒ5I〜Ｒ5K，Ｒ6I〜Ｒ6Lは、それぞれ独立に、水素原子、置換されていても良いアルキル基、又は、置換されていても良いアリール基を表し、
Ｒ15Eは、水素原子、又は、置換されていても良いアルキル基を表し、
Ｚ'は、水素原子、又は、ハロゲン原子を表す。）
【請求項４】
請求項３に記載の感熱転写シートセットにおいて、一般式（XIII）〜（XVI）で示される色素の、
環Ａ−２が、一般式（XV）に示される置換基の他に置換基を有していないか、或いは、置換基として、炭素数１〜１０の、置換基を有していても良いアルキル基、炭素数１〜１０の、置換基を有していても良いアルコキシ基、又は、ハロゲン原子を有するベンゼン環を表し、
環Ｄ−２，Ｄ−３が、それぞれ一般式（XIV）、（XVI）に示される置換基の他に置換基を有していないか、或いは、置換基として、炭素数１〜１０の、置換基を有していても良いアルキル基、炭素数１〜１０の、置換基を有していても良いアルコキシ基、ハロゲン原子、シアノ基、ニトロ基、又は、炭素数２〜１１のＣＯＯＲ5M基を有するベンゼン環を表し、
環Ｅが、一般式（XIII）に示される置換基の他に置換基を有していないか、或いは、置換基として、炭素数１〜８の、置換されていても良いアルキル基を有するベンゼン環を表し、
環Ｆが、置換基として、炭素数１〜１０の、置換されていても良いアルキル基、炭素数１〜１２の、置換基を有していても良いアルコキシ基、炭素数５〜１０の、置換されていても良いアリール基、炭素数５〜１０の、置換されていても良いアリールオキシ基、炭素数２〜１１の、置換されていても良いＣＯＯＲ6N基、炭素数３〜９のＣ（Ｏ）ＮＲ5OＲ6O基、又は、炭素数２〜１１の、ＯＣ（Ｏ）Ｒ6Pを有するベンゼン環を表し、
Ｒ1K，Ｒ2Kは、それぞれ独立に、炭素数１〜１２の、置換されていても良いアルキル基、アリル基、炭素数５〜１０の、置換されていても良いアリール基、又は、炭素数５〜７の、置換されていても良いシクロアルキル基を表し、
Ｒ3Bは、水素原子、炭素数１〜１０の、置換されてもよいアルキル基、炭素数１〜８の、ＮＲ5QＲ6Q基、炭素数１〜８の、置換されていても良いアルコキシ基、炭素数２〜９の、置換されていても良いアルコキシカルボニル基、炭素数５〜１０の、置換されていても良いアリール基、又は、炭素数３〜９のＣ（Ｏ）ＮＲ5RＲ6R基を表し、
Ｒ4J，Ｒ4Kは、それぞれ独立に、炭素数１〜１２の、置換されていても良いアルキル基、又は、炭素数６〜１０の置換基を有していても良いアリールを表し、
Ｒ15Eは、水素原子、又は、炭素数１〜１０の、置換されていても良いアルキル基を表し、
Ｚ'は、水素原子、又は、ハロゲン原子を表し、
Ｒ22が、シアノ基、又は、炭素数２〜９のＣ（Ｏ）ＯＲ6L基を表し、
Ｒ5I〜Ｒ5R，Ｒ6I〜Ｒ6O，Ｒ6Q，Ｒ6Rは、それぞれ独立に、水素原子、置換されていても良いアルキル基、又は置換されていても良いアリール基を表し、Ｒ6Pは、水素原子、置換されていても良いアルキル基、置換されていても良いアリール基、置換されていても良いアルコキシ基、置換されていても良いアリールオキシ基、又はＮＲ6PaＲ6Pb基を表す（Ｒ6Pa，Ｒ6Pbはそれぞれ独立に水素原子、置換されていても良いアルキル基、又は置換されていても良いアリール基を表す。））ことを特徴とする感熱転写用シートセット。
【請求項５】
請求項１に記載の感熱転写用シートセットにおいて、一般式（Ｉ）〜（XII）で示される色素の、
環Ｃは、置換基として、炭素数１〜１０の、置換されていても良いアルキル基を有するピリジン環を表し、
Ｒ1Aは、置換されていても良いアルキル基を表し、
Ｒ2Aは、置換されていても良いアルキル基を表し、
Ｒ3Aは、置換されていても良いアルコキシ基を表し、
Ｒ4Aは、置換されていても良いアリール基を表し、
Ｒ1Bは、置換されていても良いアルキル基を表し、
Ｒ2Bは、置換されていても良いアルキル基を表し、
Ｒ7は、置換されていても良いアルキル基、又は、置換されていても良いアリル基を表し、
Ｒ1Cは、置換されていても良いアルキル基を表し、
Ｒ2Cは、置換されていても良いアルキル基を表し、
Ｘは、ＳＯ２Ｒ4Eを表し（Ｒ4Eは、置換されていても良いアルキル基を表す。）、
Ｒ8は、アミノ基を表し、
Ｒ9は、アミノ基又はヒドロキシ基を表し、
Ｒ10は、置換されていても良いアリールオキシ基を表し、
Ｒ11は、水素原子、又は、置換されていても良いアリールオキシ基を表し、
Ｒ1Dは、置換されていても良いアルキル基を表し、
Ｒ2Dは、置換されていても良いアルキル基を表し、
Ｒ12は、シアノ基を表し、
Ｒ13は、シアノ基を表し、
Ｒ14は、置換されていても良いアルキル基を表し、
Ｒ1Eは、置換されていても良いアルキル基を表し、
Ｒ2Eは、置換されていても良いアルキル基を表し、
Ｒ6Aは、置換されていても良いアリール基を表し、
Ｒ15Aは、置換されていても良いアルキル基を表し、
Ｒ16は、ＮＲ17Ｒ18を表し（Ｒ17、Ｒ18は、それぞれ独立に、置換されていても良いアルキルカルボニル基、又は、置換されていても良いアリールカルボニル基を表す。）、
Ｒ1Fは、置換されていても良いアルキル基を表し、
Ｒ2Fは、置換されていても良いアルキル基を表し、
Ｒ4Bは、置換されていても良いアリール基を表し、
Ｒ6Bは、置換されていても良いアルキル基を表し、
Ｒ5Cは、置換されていても良いアルキル基を表し、
Ｒ6Cは、置換されていても良いアリール基を表し、
Ｒ1Gは、置換されていても良いアルキル基を表し、
Ｒ2Gは、置換されていても良いアルキル基を表し、
Ｒ15Bは、置換されていても良いアルキル基を表し、
Ｒ19は、炭素数１〜１０の、置換されていても良いアルキル基、又は、炭素数１〜１０の、置換されていても良いアルコキシ基を表し、
Ｚは、水素原子又はハロゲン原子を表し、
Ｒ1Hは、置換されていても良いアルキル基を表し、
Ｒ2Hは、置換されていても良いアルキル基を表し、
Ｒ6Dは、置換されていても良いアリール基を表し、
Ｒ15Cは、置換されていても良いアルキル基を表し、
Ｒ20は、置換されていても良いアルキル基を表し、
Ｒ1Iは、置換基を有していても良いアルキル基を表し、
Ｒ2Iは、置換基を有していても良いアルキル基を表すことを特徴とする感熱転写用シートセット。
【請求項６】
請求項１ないし５のいずれかに記載の感熱転写用シートセットにおいて、イエロー、マゼンタ、シアンの少なくとも３色の色材層が、１つの支持体上に面順次に設けられてなることを特徴とする感熱転写用シートセット。
【請求項７】
請求項１ないし５のいずれかに記載の感熱転写用シートセットにおいて、イエロー、マゼンタ、シアンの少なくとも３色の色材層が、各々別々の支持体上に設けられ、これらが組み合わせられてなることを特徴とする感熱転写用シートセット。
【請求項８】
請求項１ないし７のいずれかに記載の感熱転写用シートセットを用いて支持体上にフルカラー感熱転写記録を行うことを特徴とするフルカラープリント方法。
【発明の詳細な説明】
【０００１】
【発明の属する技術分野】
本発明は感熱転写記録、特に色素転写型感熱転写記録用に使用される感熱転写用シートセット及びそれを用いたフルカラープリント方法に関する。
【０００２】
【従来の技術】
色素転写型感熱転写記録は、ベースフィルム上に熱移行性の色素を含む色材層を有する感熱転写シートと、色素受容層を表面に有する受像シートとを重ね合わせ、感熱転写シートを加熱することにより感熱転写シート中の色素を受像シートに転写することにより記録を行う記録方法である。本記録方法は、加熱エネルギーの大きさにより色素の転写量を制御して、階調表現を行うことができるため、ビデオプリンターなどのフルカラー画像記録用に応用されている。
【０００３】
このような色素転写型感熱転写記録においては、転写シート及び転写シート用のインキ組成物に用いられる色素が、転写記録のスピード、記録物の画質、保存安定性などに大きな影響を与えることから、この色素の特性が非常に重要であり、このような色素としては、以下のような条件を満たすことが必要である。
▲１▼  熱記録ヘッドの作動条件で容易に昇華及び／又は熱拡散すること。
▲２▼  熱記録ヘッドの作動条件で熱分解しないこと。
▲３▼  色再現上、好ましい色相を有すること。
▲４▼  分子吸光係数が大きいこと。
▲５▼  熱、光、湿気、薬品などに対して安定であること。
▲６▼  合成が容易であること。
▲７▼  インク化適性が優れていること。
▲８▼  安全性上問題のないこと。
【０００４】
感熱転写用シートとしては、イエロー、マゼンタ、シアンの少なくとも３色の色材層を、１つの支持体上に面順次に設けた感熱転写シート、或いは、別々の支持体上に設けられた感熱転写用各色シートが組み合わせられて、フルカラープリントが行われる。
【０００５】
特開平７−２５７０５３号公報及び特開平５−２６２０５６号公報には、イエロー、マゼンタ、シアンの色材層を面順次に設けた感熱転写用シートが記載されており、本発明で使用されるマゼンタ色素及びシアン色素と一部重複するものが記載されている。
【０００６】
しかしながら、後述する比較例にも示すように、未だ十分な性能を有するものは提供されておらず、最近の極めて高いフルカラープリントの画質要求に応えるには、イエロー、ブラック、レッド、グリーン等の幅広い色で耐光性が高く、記録物の保存性が得られること、そして、特に、従来得られにくかった、イエロー及びブラックの記録画像において、高濃度で、かつ高耐光性が得られる、総合的に優れた感熱転写用シートセットの開発が望まれていた。
【０００７】
また、イエロー色素としては、本発明で使用される一般式（Ｉ）で表されるピラゾロンメチン系色素が、昇華方式の感熱転写記録用の色素として用いられることが、特開平２−３４５０号公報、特開平４−２６５７９２号公報、特開平４−２７５１８４号公報に記載されている。また、特開平４−２６５７９２号公報には、本発明で使用される一般式（Ｉ）のピラゾロンメチン系色素と一般式（XV）のジシアノメチン系イエロー色素との併用系が、また、特開平４−２７５１８４号公報には、本発明で使用される一般式（Ｉ）のピラゾロンメチン系色素と一般式（XVI）のピリドンアゾ系イエロー色素との併用系が記載されている。
【０００８】
しかしながら、これらのイエロー色素をどのようなマゼンタ色素及びシアン色素と組み合わせて用いるのが良いか検討はなされておらず、フルカラープリントにおける上述のような要求を満たすものではない。
【０００９】
【特許文献１】
特開平７−２５７０５３号公報
【特許文献２】
特開平５−２６２０５６号公報
【特許文献３】
特開平２−３４５０号公報
【特許文献４】
特開平４−２６５７９２号公報
【特許文献５】
特開平４−２７５１８４号公報
【特許文献６】
特開平４−２６５７９２号公報
【特許文献７】
特開平４−２７５１８４号公報
【００１０】
【発明が解決しようとする課題】
本発明は、感熱転写記録用色素に要求される前記の▲１▼〜▲８▼のすべての特性において総合的に優れた性能を有し、特に、低エネルギーで高い濃度の鮮明な黄色及び黒色の記録物を得ることができ、しかも得られる記録物の耐光性が良好な感熱転写用シートセット及びこれを用いたフルカラープリント方法を提供することを目的とする。
【００１１】
【課題を解決するための手段】
本発明の感熱転写用シートセットは、支持体上に少なくともイエロー、マゼンタ、及びシアンの色材層が設けられ、該各色材層が熱移行性色素と結着剤とを含有する感熱転写用シートにおいて、該熱移行性色素として、イエローの色材層が、下記一般式（Ｉ）で表されるピラゾロンメチン系色素を少なくとも一種含み、マゼンタの色材層が、下記一般式（II）〜（VII）で表される色素から選ばれる少なくとも一種の色素を含み、シアンの色材層が、下記一般式（VIII）〜（XII）で表される色素から選ばれる少なくとも一種の色素を含むことを特徴とする。
【００１２】
【化５】
0004337320.tif 000002
【００１３】
【化６】
0004337320.tif 000003
【００１４】
【化７】
0004337320.tif 000004
【００１５】
（式中、環Ａ−１、環Ｂ−１〜Ｂ−６及び環Ｄ−１は、それぞれ、任意の置換基を有していても良いベンゼン環を表し、
環Ｃは、置換基を有していても良い、ベンゼン環又はピリジン環を表し、
Ｒ1A〜Ｒ1J，Ｒ2A〜Ｒ2Jは、それぞれ独立に、水素原子、置換されていても良いアルキル基、アリル基、置換されていても良いアリール基、又は、置換されていても良いシクロアルキル基を表し、
Ｒ3Aは、置換されていても良いアルコキシ基を表し、
Ｒ4A，Ｒ4Bは、それぞれ独立に、置換されていても良いアルキル基、又は、置換されていても良いアリール基を表し、
Ｒ5C，Ｒ6A〜Ｒ6Dは、それぞれ独立に、水素原子、置換されていても良いアルキル基、又は、置換されていても良いアリール基を表し、
Ｒ7は、水素原子、置換されていても良いアルキル基、アリル基、又は、置換されていても良いアリール基を表し、
Ｒ8，Ｒ9は、それぞれ独立に、アミノ基、又は、ヒドロキシ基を表し、
Ｒ10，Ｒ11は、それぞれ独立に、水素原子、又は、置換されていても良いアリールオキシ基を表し、
Ｒ12，Ｒ13は、それぞれ独立に、シアノ基、ニトロ基、置換されていても良いアルキル基、ハロゲン原子、又は、水素原子を表し、
Ｒ14は、水素原子、ニトロ基、又は、置換されていても良いアルキル基を表し、
Ｒ15A〜Ｒ15Dは、水素原子、又は、置換されていても良いアルキル基を表し、
Ｒ16は、置換されていても良いアルキル基、置換されていても良いシクロアルキル基、又は、ＮＲ17Ｒ18基を表し（Ｒ17、Ｒ18は、それぞれ独立に、置換されていても良いアルキルカルボニル基、又は、置換されていても良いアリールカルボニル基を表す。）、
Ｒ19は、置換されていても良いアルキル基、置換されていても良いアルコキシ基、置換されていても良いアリール基、又は、置換されていても良いアリールオキシ基を表し、
Ｒ20は、置換されていても良いアルキル基、置換されていても良いアリール基、又は、ヒドロキシ基を表し、
Ｒ21は、シアノ基、ＣＯＯＲ5G基、又は、ＣＯＮＲ5HＲ6H基を表し（Ｒ5G，Ｒ5H，Ｒ6Hは、それぞれ独立に、水素原子、置換されていても良いアルキル基、又は、置換されていても良いアリール基を表す。）、
ＸはＳＲ4C基、Ｓ（Ｏ）Ｒ4D基又はＳＯ2Ｒ4E基を表し（Ｒ4C〜Ｒ4Eは、置換されていても良いアルキル基、又は、置換されていても良いアリール基を表す。）、
Ｙは、ＣＨ基又はＮを表し、
Ｚは、水素原子、又は、ハロゲン原子を表す。）
【００１６】
本発明は、好ましくは、イエロー色材層が、更に、下記一般式（XIII）〜（XVI）で表される色素のうちの１種又は２種以上を含有することを特徴とする。
【００１７】
【化８】
0004337320.tif 000005
【００１８】
（式中、環Ａ−２、環Ｄ−２、Ｄ−３、環Ｅ、環Ｆは、それぞれ任意の置換基を有していても良いベンゼン環を表し、
Ｒ1K，Ｒ2Kは、それぞれ独立に、水素原子、置換されていても良いアルキル基、アリル基、置換されていても良いアリール基、又は、置換されていても良いシクロアルキル基を表し、
Ｒ3Bは、水素原子、置換されてもよいアルキル基、ＮＲ5JＲ6J基、置換されていても良いアルコキシ基、置換されていても良いアルコキシカルボニル基、置換されていても良いアリール基、又は、Ｃ（Ｏ）ＮＲ5KＲ6K基を表し、
Ｒ4J，Ｒ4Kは、それぞれ独立に、置換されていても良いアルキル基、又は、置換されていても良いアリール基を表し、
Ｒ22は、シアノ基、又は、ＣＯＯＲ6Lを表し、
Ｒ5I〜Ｒ5K，Ｒ6I〜Ｒ6Lは、それぞれ独立に、水素原子、置換されていても良いアルキル基、又は、置換されていても良いアリール基を表し、
Ｒ15Eは、水素原子、又は、置換されていても良いアルキル基を表し、
Ｚ'は、水素原子、又は、ハロゲン原子を表す。）
【００１９】
本発明のフルカラープリント方法は、このような本発明の感熱転写用シートセットを用いて支持体上にカラー感熱転写記録を行うことを特徴とする。
【００２０】
即ち、本発明者らは、ピラゾロンメチン系色素を中心としたイエロー色素及び色素混合物について更に詳しく検討を行った結果、特定のイエロー、マゼンタ、シアンの色素を組み合わせて用いた感熱転写用シートセットとすることにより、従来品より、有機溶剤に対する溶解性が高く、イエロー及びブラックの記録濃度が高く、記録物の保存性が高く、従来品に比べて総合的に優れた特性を有するものが得られること、また、用いられる色素も製造し易く工業的に有利に感熱転写シートを製造できることを見出し、本発明を完成させた。
【００２１】
なお、本発明において、感熱転写用シートセットとは、イエロー、マゼンタ、シアンの少なくとも３色の色材層を、１つの支持体上に面順次に設けた感熱転写シート、或いは、別々の支持体上に設けられた感熱転写用各色シートが組み合わせられて、フルカラープリントされる形態の双方を包含するものである。
【００２２】
【発明の実施の形態】
以下に本発明の実施の形態を詳細に説明する。
【００２３】
まず、本発明で用いる前記一般式（Ｉ）〜（XVI）で示される色素について具体的に説明する。
【００２４】
なお、以下において、例示した基の好適な炭素数は、当該基が置換基を有する場合は、その置換基の炭素数も含めた合計の炭素数を示す。
【００２５】
イエローの色材層に含有される下記一般式（Ｉ）で表されるピラゾロンメチン系色素において（なお、下記一般式（Ｉ）において、丸数字の１〜４の置換位置を示す。）、環Ａ−１は、任意の置換基を有していても良いベンゼン環を表し、Ｒ1A，Ｒ2Aは、それぞれ独立に、水素原子、置換されていても良いアルキル基、アリル基、置換されていても良いアリール基、又は、置換されていても良いシクロアルキル基を表し、Ｒ3Aは、置換されていても良いアルコキシ基を表し、Ｒ4Aは、置換されていても良いアルキル基、又は、置換されていても良いアリール基を表す。
【００２６】
【化９】
0004337320.tif 000006
【００２７】
好ましくは、環Ａ−１は、他に置換基を有していないか、或いは、置換基として、炭素数１〜１０の、置換されていても良いアルキル基、炭素数１〜１０の、置換されていても良いアルコキシ基、又は、ハロゲン原子を有するベンゼン環を表し、Ｒ1A，Ｒ2Aは、それぞれ独立に、炭素数２〜１２の、置換されていても良いアルキル基、アリル基、炭素数５〜１０の、置換されていても良いアリール基、又は、炭素数５〜７の、置換されていても良いシクロアルキル基を表し、Ｒ3Aは、炭素数１〜８の、置換されていても良いアルコキシ基を表し、Ｒ4Aは、炭素数１〜１２の、置換されていても良いアルキル基、又は、炭素数６〜１０の置換されていても良いアリール基を表す。
【００２８】
特に好ましくは、環Ａ−１は、置換基のないベンゼン環、又は置換基としてメチル基、メトキシ基、又はハロゲン原子を有するベンゼン環である。
【００２９】
なお、環Ａ−１が置換基を有する場合、置換位置は１位〜４位（▲１▼〜▲４▼の位置）のいずれでも良いが、好ましくは３位（▲３▼の位置）である。
【００３０】
また、Ｒ1A，Ｒ2Aとしては、好ましくは、炭素数１〜１０の、直鎖状もしくは分岐鎖状の置換されていても良いアルキル基、炭素数３〜８の、置換されていても良いアルコキシアルキル基、炭素数８〜１４の、置換されていても良いアリールオキシアルキル基が挙げられ、Ｒ3Aとしては、好ましくは、炭素数１〜８の、アルコキシ基が挙げられ、Ｒ4Aとしては、好ましくは、非置換のフェニル基又は置換基としてメチル基、エチル基、メトキシ基、エトキシ基、塩素原子、フッ素原子、トリフルオロメチル基を有しているフェニル基、炭素数１〜８の、置換されていても良いアルキル基が挙げられる。
【００３１】
一般式（Ｉ）で表されるピラゾロンメチン系色素は、イエローの色材層中に１種を単独で含まれていても良く、２種以上が混合して含まれていても良い。
【００３２】
マゼンタの色材層に含有される下記一般式（II）〜（VII）で表される色素において（なお、下記一般式（II）〜（VII）において、▲１▼〜▲４▼は置換基の置換位置を示す。）、環Ｂ−１〜Ｂ−３は、それぞれ、任意の置換基を有していても良いベンゼン環を表し、環Ｃは、置換基を有していても良い、ベンゼン環又はピリジン環を表し、Ｒ1B〜Ｒ1F，Ｒ2B〜Ｒ2Fは、それぞれ独立に、水素原子、置換されていても良いアルキル基、アリル基、置換されていても良いアリール基、又は、置換されていても良いシクロアルキル基を表し、Ｒ4Bは、置換されていても良いアルキル基、又は、置換されていても良いアリール基を表し、Ｒ6A，Ｒ6Bは、水素原子、置換されていても良いアルキル基、又は、置換されていても良いアリール基を表し、Ｒ7は、水素原子、置換されていても良いアルキル基、アリル基、又は、置換されていても良いアリール基を表し、Ｒ8，Ｒ9は、それぞれ独立に、アミノ基、又は、ヒドロキシ基を表し、Ｒ10，Ｒ11は、それぞれ独立に、水素原子、又は、置換されていても良いアリールオキシ基を表し、Ｒ12，Ｒ13は、それぞれ独立に、シアノ基、ニトロ基、置換されていても良いアルキル基、ハロゲン原子、又は、水素原子を表し、Ｒ14は、水素原子、ニトロ基、又は、置換されていても良いアルキル基を表し、Ｒ15Aは、水素原子、又は、置換されていても良いアルキル基を表し、Ｒ16は、置換されていても良いアルキル基、置換されていても良いシクロアルキル基、又は、ＮＲ17Ｒ18基を表し（Ｒ17、Ｒ18は、それぞれ独立に、置換されていても良いアルキルカルボニル基、又は、置換されていても良いアリールカルボニル基を表す。）、ＸはＳＲ4C基、Ｓ（Ｏ）Ｒ4D基又はＳＯ2Ｒ4E基を表し（Ｒ4C〜Ｒ4Eは、それぞれ独立に、置換されていても良いアルキル基、又は、置換されていても良いアリール基を表す。）、Ｙは、ＣＨ基又はＮを表す。
【００３３】
【化１０】
0004337320.tif 000007
【００３４】
好ましくは、環Ｂ−１〜Ｂ−３が、他に置換基を有していないか、或いは、置換基として、炭素数１〜１０の、置換されていても良いアルキル基、炭素数１〜１０の、置換されていても良いアルコキシ基、ハロゲン原子、ＮＨＣＯＲ4F基、又は、ＮＨＳＯ２Ｒ4G基を有するベンゼン環を表し、環Ｃは、他に置換基を有していないか、或いは、置換基として、炭素数１〜１０の、置換されていても良いアルキル基、炭素数１〜１０の、置換されていても良いアルコキシ基、ハロゲン原子、ＮＨＣＯＲ4H基、或いは、ＮＨＳＯ２Ｒ4I基を有する、ベンゼン環又はピリジン環を表し、Ｒ1B〜Ｒ1F，Ｒ2B〜Ｒ2Fは、それぞれ独立に、炭素数１〜１２の、置換されていても良いアルキル基、アリル基、炭素数５〜１０の、置換されていても良いアリール基、又は、炭素数５〜７の、置換されていても良いシクロアルキル基を表し、Ｒ4B〜Ｒ4Iは、それぞれ独立に、炭素数１〜１２の、置換されていても良いアルキル基、又は、炭素数６〜１０の置換されていても良いアリール基を表し、Ｒ6A，Ｒ6Bは、それぞれ独立に、水素原子、炭素数１〜１０の、置換されていても良いアルキル基、又は、炭素数５〜１９の、置換されていても良いアリール基を表し、Ｒ7は、水素原子、炭素数１〜１０の、置換されていても良いアルキル基、アリル基、又は、炭素数５〜１９の、置換されていても良いアリール基を表し、Ｒ8，Ｒ9は、それぞれ独立に、アミノ基又はヒドロキシ基を表し、Ｒ10，Ｒ11は、それぞれ独立に、水素原子、又は、炭素数５〜１０の、置換されていても良いアリールオキシ基を表し、Ｒ12，Ｒ13は、それぞれ独立に、シアノ基、ニトロ基、炭素数１〜４の、置換されていても良いアルキル基、ハロゲン原子、又は、水素原子を表し、Ｒ14は、水素原子、ニトロ基、又は、炭素数１〜８の、置換されていても良いアルキル基を表し、Ｒ15Aは、水素原子、又は、炭素数１〜１０の、置換されていても良いアルキル基を表し、Ｒ16は、炭素数１〜１０の、置換されていても良いアルキル基、炭素数５〜１０の、置換されていても良いシクロアルキル基、又は、ＮＲ17Ｒ18基を表し（Ｒ17，Ｒ18は、それぞれ独立に、炭素数２〜９の、置換されていても良いアルキルカルボニル基、又は、炭素数６〜１０の、置換されていても良いアリールカルボニル基を表す。）、Ｘは、炭素数１〜８のＳＲ4C基、Ｓ（Ｏ）Ｒ4D基、又は、ＳＯ2Ｒ4E基を表し、Ｙは、ＣＨ基、又は、Ｎを表す。
【００３５】
特に好ましくは、環Ｂ−１〜Ｂ−３は、置換基を有していないベンゼン環、又は、置換基として炭素数１〜４の、直鎖状もしくは分岐鎖状のアルキル基、炭素数１〜４の、直鎖状もしくは分岐鎖上のアルコキシ基、ハロゲン原子、炭素数２〜５のＮＨＣＯＲ4F基、炭素数１〜４のＮＨＳＯ2Ｒ4G基を有しているベンゼン環であり、環Ｃは、他に置換基を有していないか、置換基として炭素数１〜４の、直鎖状もしくは分岐鎖状のアルキル基を有するベンゼン環又はピリジン環である。
【００３６】
なお、環Ｂ−１〜Ｂ−３が置換基を有する場合、置換位置は１位〜４位（▲１▼〜▲４▼の位置）のいずれでも良いが、好ましくは２位又は４位（▲２▼又は▲４▼の位置）である。
【００３７】
また、環Ｃが置換基を有する場合、置換位置は１位〜３位（▲１▼〜▲３▼の位置）のいずれでも良いが、好ましくは２位（▲２▼の位置）である。
【００３８】
また、Ｒ1B〜Ｒ1F，Ｒ2B〜Ｒ2Fとしては、好ましくは炭素数１〜１０の、直鎖状もしくは分岐鎖状の置換されていても良いアルキル基、炭素数３〜８の、置換されていても良いアルコキシアルキル基、炭素数８〜１４の、置換されていても良いアリールオキシアルキル基が挙げられ、Ｒ4B〜Ｒ4Iとしては、好ましくは非置換のフェニル基又は置換基としてメチル基、エチル基、メトキシ基、エトキシ基、塩素原子、フッ素原子、トリフルオロメチル基を有しているフェニル基、炭素数１〜８の、置換されていても良いアルキル基が挙げられ、Ｒ6A，Ｒ6Bとしては、好ましくは水素原子、炭素数１〜４の、置換されていても良いアルキル基が挙げられ、Ｒ7としては、好ましくは炭素数１〜８の直鎖状もしくは分岐鎖状のアルキル基、アリル基が挙げられ、Ｒ8，Ｒ9としては、それぞれ独立に、好ましくはアミノ基又はヒドロキシ基が挙げられ、Ｒ10，Ｒ11としては、それぞれ独立に、好ましくは水素原子又はフェノキシ基が挙げられ、Ｒ12，Ｒ13としては、それぞれ独立に、好ましくは水素原子、シアノ基、ニトロ基、又はメチル基が挙げられ、Ｒ14としては、好ましくは水素原子、ハロゲン原子、又はメチル基が挙げられ、Ｒ15Aとしては、好ましくは炭素数１〜４の直鎖状もしくは分岐鎖状のアルキル基、水素原子、又はトリフルオロメチル基が挙げられ、Ｒ16としては、好ましくは炭素数１〜８の直鎖状もしくは分岐鎖状のアルキル基、炭素数４〜１４のＮＲ17Ｒ18基が挙げられ、Ｒ17、Ｒ18としては、好ましくは炭素数２〜９のアルキルカルボニル基、炭素数７〜１０の置換基を有していても良いフェニルカルボニル基が挙げられる。
【００３９】
また、Ｘとしては、好ましくは炭素数１〜８のＳ（Ｏ）2Ｒ4D基が挙げられ、Ｙとしては、好ましくはＣＨ基又はＮが挙げられる。
【００４０】
一般式（II）〜（VII）で表される色素は、マゼンダの色材層中に１種を単独で含まれていても良く、同一の一般式或いは異なる一般式で表される色素が２種以上混合されて含まれていても良い。
【００４１】
シアンの色材層に含有される下記一般式（VIII）〜（XII）で表される色素において（なお、下記一般式（VIII）〜（XII）において、▲１▼〜▲５▼は置換基の置換位置を示す。）、環Ｂ−４〜Ｂ−６及び環Ｄ−１は、それぞれ、任意の置換基を有していても良いベンゼン環を表し、Ｒ1G〜Ｒ1J，Ｒ2G〜Ｒ2Jは、それぞれ独立に、水素原子、置換されていても良いアルキル基、アリル基、置換されていても良いアリール基、又は、置換されていても良いシクロアルキル基を表し、Ｒ5C，Ｒ6C，Ｒ6Dは、それぞれ独立に、水素原子、置換されていても良いアルキル基、又は、置換されていても良いアリール基を表し、Ｒ15B〜Ｒ15Dは、水素原子、又は、置換されていても良いアルキル基を表し、Ｒ19は、置換されていても良いアルキル基、置換されていても良いアルコキシ基、置換されていても良いアリール基、又は、置換されていても良いアリールオキシ基を表し、Ｒ20は、置換されていても良いアルキル基、置換されていても良いアリール基、又は、ヒドロキシ基を表し、Ｒ21は、シアノ基、ＣＯＯＲ5G基、又は、ＣＯＮＲ5HＲ6H基を表し（Ｒ5G，Ｒ5H，Ｒ6Hは、それぞれ独立に、水素原子、置換されていても良いアルキル基、又は、置換されていても良いアリール基を表す。）、Ｚは、水素原子、又は、ハロゲン原子を表す。
【００４２】
【化１１】
0004337320.tif 000008
【００４３】
好ましくは、環Ｂ−４〜Ｂ−６は、他に置換基を有していないか、或いは、置換基として、炭素数１〜１０の、置換されていても良いアルキル基、炭素数１〜１０の、置換されていても良いアルコキシ基、ハロゲン原子、ＮＨＣＯＲ4F基、又は、ＮＨＳＯ２Ｒ4G基を有するベンゼン環を表し、環Ｄ−１は、置換基を有していないか、或いは、置換基として、炭素数１〜１０の、置換されていても良いアルキル基、炭素数１〜１０の、置換されていても良いアルコキシ基、ハロゲン原子、シアノ基、ニトロ基、又は、炭素数２〜１１のＣＯＯＲ5B基を有するベンゼン環を表し、Ｒ1G〜Ｒ1J，Ｒ2G〜Ｒ2Jは、それぞれ独立に、炭素数１〜１２の、置換されていても良いアルキル基、アリル基、炭素数５〜１０の、置換されていても良いアリール基、又は、炭素数５〜７の、置換されていても良いシクロアルキル基を表し、Ｒ4F，Ｒ4Gは、炭素数１〜１２の、置換されていても良いアルキル基、又は、炭素数６〜１０の置換されていても良いアリール基を表し、Ｒ5B，Ｒ5C，Ｒ5D，Ｒ5H，Ｒ6C，Ｒ6D，Ｒ6Hは、それぞれ独立に、水素原子、炭素数１〜１０の、置換されていても良いアルキル基、又は、炭素数５〜１９の、置換されていても良いアリール基を表し、Ｒ15B〜Ｒ15Dは、水素原子、又は、炭素数１〜１０の、置換されていても良いアルキル基を表し、Ｒ19は、炭素数１〜１０の、置換されていても良いアルキル基、炭素数１〜１０の、置換されていても良いアルコキシ基、炭素数５〜１０の、置換されていても良いアリール基、又は、炭素数５〜１０の、置換されていても良いアリールオキシ基を表し、Ｒ20は、炭素数１〜１０の、置換されていても良いアルキル基、炭素数５〜１０の、置換されていても良いアリール基、又は、ヒドロキシ基を表し、Ｒ21は、シアノ基、炭素数１〜９のＣＯＯＲ5G基、又は、炭素数２〜１９のＮＨＲ5HＲ6H基を表し、Ｚは、水素原子、又は、ハロゲン原子を表す。
【００４４】
特に好ましくは、環Ｂ−４〜Ｂ−６は、置換基を有していないベンゼン環、又は、置換基として炭素数１〜４の、直鎖状もしくは分岐鎖状のアルキル基、炭素数１〜４の、直鎖状もしくは分岐鎖上のアルコキシ基、ハロゲン原子、炭素数２〜５のＮＨＣＯＲ4F基、炭素数１〜４のＮＨＳＯ2Ｒ4G基を有しているベンゼン環であり、環Ｄ−１は、置換基として炭素数１〜４の直鎖状もしくは分岐鎖状のアルキル基、ハロゲン原子、トリフルオロメチル基、シアノ基、ニトロ基、又は炭素数２〜１３のアルコキシカルボニル基を有するベンゼン環である。
【００４５】
なお、環Ｂ−４〜Ｂ−６が置換基を有する場合、置換位置は１位〜４位（▲１▼〜▲４▼の位置）のいずれでも良いが、好ましくは２位又は４位（▲２▼又は▲４▼の位置）である。
【００４６】
また、環Ｄ−１が置換基を有する場合、置換位置は１位〜５位（▲１▼〜▲５▼の位置）のいずれでも良いが、好ましくは１位（▲１▼の位置）又は３位（▲３▼の位置）である。
【００４７】
また、Ｒ1G〜Ｒ1J，Ｒ2G〜Ｒ2Jとしては、好ましくは炭素数１〜１０の、直鎖状もしくは分岐鎖状の置換されていても良いアルキル基、炭素数３〜８の、置換されていても良いアルコキシアルキル基、炭素数８〜１４の、置換されていても良いアリールオキシアルキル基が挙げられ、Ｒ5C，Ｒ6C，Ｒ6Dとしては、好ましくはそれぞれ独立に、水素原子、炭素数１〜４の置換されていても良いアルキル基が挙げられ、Ｒ15B，Ｒ15Dとしては好ましくは炭素数１〜４の直鎖状もしくは分岐鎖状のアルキル基、水素原子、又はトリフルオロメチル基が挙げられ、Ｒ19としては、好ましくは炭素数１〜８の直鎖状もしくは分岐鎖状のアルキル基、炭素数１〜８の直鎖状もしくは分岐鎖状のアルコキシ基、置換基を有していても良いフェニル基又は置換基を有していても良いフェニルオキシ基が挙げられ、Ｒ20としては、好ましくは炭素数１〜８の直鎖状もしくは分岐鎖状のアルキル基が挙げられ、Ｒ21としては、好ましくはシアノ基、又は炭素数２〜９のアルコキシカルボニル基が挙げられ、Ｚとしては、好ましくは水素原子、塩素原子又は臭素原子が挙げられる。
【００４８】
一般式（VIII）〜（XII）で表される色素はシアンの色材層中に１種を単独で含まれていても良く、同一の一般式或いは異なる一般式で表される色素が２種以上混合されて含まれていても良い。
【００４９】
本発明においては、イエロー色材層に、更に、下記一般式（XIII）〜（XVI）で表される色素のうちの１種又は２種以上を含有することが好ましく、一般式（Ｉ）で表されるイエロー色素と一般式（XIII）〜（XVI）で表されるイエロー色素とを組み合わせたイエロー色材層とすることにより、一般式（Ｉ）で表されるピラゾロンメチン骨格を有するイエロー色素の赤みを帯びた色調を、一般式（XIII）〜（XVI）で表されるイエロー色素と組み合わせることで、感度、耐光性等を高いレベルに保って、色調をも改善させることができる点で有利である（なお、下記（XIII）〜（XVI）において、▲１▼〜▲５▼は置換基の置換位置を示す。）。
【００５０】
【化１２】
0004337320.tif 000009
【００５１】
上記一般式（XIII）〜（XVI）において、環Ａ−２、環Ｄ−２、Ｄ−３、環Ｅ、環Ｆは、それぞれ任意の置換基を有していても良いベンゼン環を表し、Ｒ1K，Ｒ2Kは、それぞれ独立に、水素原子、置換されていても良いアルキル基、アリル基、置換されていても良いアリール基、又は、置換されていても良いシクロアルキル基を表し、Ｒ3Bは、水素原子、置換されてもよいアルキル基、ＮＲ5JＲ6J基、置換されていても良いアルコキシ基、置換されていても良いアルコキシカルボニル基、置換されていても良いアリール基、又は、Ｃ（Ｏ）ＮＲ5KＲ6K基を表し、Ｒ4J，Ｒ4Kは、それぞれ独立に、置換されていても良いアルキル基、又は、置換されていても良いアリール基を表し、Ｒ22は、シアノ基、又は、ＣＯＯＲ6Lを表し、Ｒ5I〜Ｒ5K，Ｒ6I〜Ｒ6Lは、それぞれ独立に、水素原子、置換されていても良いアルキル基、又は、置換されていても良いアリール基を表し、Ｒ15Eは、水素原子、又は、置換されていても良いアルキル基を表し、Ｚ'は、水素原子、又は、ハロゲン原子を表す。
【００５２】
なお、前記一般式（XIII）で表わされる色素は、電子の非局在化により、一般式(XIII)のほかに、一般式（XIII’）と一般式（XIII’’）の形態をとりうる。
【００５３】
【化１３】
0004337320.tif 000010
【００５４】
本発明においては、一般式（XIII）で表わされる色素はこれら３つの形態をいずれも包含するものである。
【００５５】
また、前記一般式（XVI）で表わされる色素は、電子の非局在化により、一般式（IVX）のほかに一般式（XVI’）の形態をとりうる。
【００５６】
【化１４】
0004337320.tif 000011
【００５７】
本発明においては、一般式（XVI）で表わされる色素は、これら２つの形態をいずれも包含するものである。
【００５８】
好ましくは、環Ａ−２は、他に置換基を有していないか、或いは、置換基として、炭素数１〜１０の、置換基を有していても良いアルキル基、炭素数１〜１０の、置換基を有していても良いアルコキシ基、又は、ハロゲン原子を有するベンゼン環を表し、環Ｄ−２，Ｄ−３が、置換基を有していないか、或いは、置換基として、炭素数１〜１０の、置換基を有していても良いアルキル基、炭素数１〜１０の、置換基を有していても良いアルコキシ基、ハロゲン原子、シアノ基、ニトロ基、又は、炭素数２〜１１のＣＯＯＲ5M基を有するベンゼン環を表し、環Ｅが、他に置換基を有していないか、或いは、置換基として、炭素数１〜８の、置換されていても良いアルキル基を有するベンゼン環を表し、環Ｆが、置換基として、炭素数１〜１０の、置換されていても良いアルキル基、炭素数１〜１２の、置換基を有していても良いアルコキシ基、炭素数５〜１０の、置換されていても良いアリール基、炭素数５〜１０の、置換されていても良いアリールオキシ基、炭素数２〜１１の、置換されていても良いＣＯＯＲ6N基、炭素数３〜９のＣ（Ｏ）ＮＲ5OＲ6O基、又は、炭素数２〜１１の、ＯＣ（Ｏ）Ｒ6Pを有するベンゼン環を表し、Ｒ1K，Ｒ2Kは、それぞれ独立に、炭素数１〜１２の、置換されていても良いアルキル基、アリル基、炭素数５〜１０の、置換されていても良いアリール基、又は、炭素数５〜７の、置換されていても良いシクロアルキル基を表し、Ｒ3Bは、水素原子、炭素数１〜１０の、置換されてもよいアルキル基、炭素数１〜８の、ＮＲ5QＲ6Q基、炭素数１〜８の、置換されていても良いアルコキシ基、炭素数２〜９の、置換されていても良いアルコキシカルボニル基、炭素数５〜１０の、置換されていても良いアリール基、又は、炭素数３〜９のＣ（Ｏ）ＮＲ5RＲ6R基を表し、Ｒ4J，Ｒ4Kは、それぞれ独立に、炭素数１〜１２の、置換されていても良いアルキル基、又は、炭素数６〜１０の置換基を有していても良いアリールを表し、Ｒ15Eは、水素原子、又は、炭素数１〜１０の、置換されていても良いアルキル基を表し、Ｚ'は、水素原子、又は、ハロゲン原子を表し、Ｒ22が、シアノ基、又は、炭素数２〜９のＣ（Ｏ）ＯＲ6L基を表し、Ｒ5I〜Ｒ5R，Ｒ6I〜Ｒ6O，Ｒ6Q，Ｒ6Rは、それぞれ独立に、水素原子、炭素数１〜１０の、置換されていても良いアルキル基、又は、炭素数５〜１０の、置換されていても良いアリール基を表し、Ｒ6Pは、水素原子、炭素数１〜１０の、置換されていても良いアルキル基、炭素数５〜１０の、置換されていても良いアリール基、炭素数１〜１０の、置換されていても良いアルコキシ基、炭素数５〜１０の、置換されていても良いアリールオキシ基、又は炭素数１〜１６のＮＲ6PaＲ6Pb基を表す。Ｒ6Pa，Ｒ6Pbは、それぞれ独立に、水素原子、炭素数１〜１０の置換されていても良いアルキル基、又は炭素数５〜１０の置換されていても良いアリール基を表す。
【００５９】
特に好ましくは、環Ａ−２としては、置換基のないベンゼン環、或いは、置換基としてメチル基、メトキシ基、又はハロゲン原子を有していても良いベンゼン環、環Ｄ−２，Ｄ−３としては、置換基として炭素数１〜４の直鎖状もしくは分岐鎖状のアルキル基、ハロゲン原子、トリフルオロメチル基、シアノ基、ニトロ基、又は炭素数２〜１３のアルコキシカルボニル基を有するベンゼン環、環Ｅとしては、置換基を有していないか、置換基として炭素数１〜４の直鎖状もしくは分岐鎖状のアルキル基、炭素数１〜４の直鎖状もしくは分岐鎖状のアルコキシ基又はハロゲン原子を有しているベンゼン環、環Ｆとしては、置換基としてＣＯＯＲ6N基、Ｃ（Ｏ）ＮＲ5OＲ6O基又はＯＣ（Ｏ）Ｒ6P基を有するベンゼン環が挙げられる。
【００６０】
なお、環Ａ−２が置換基を有する場合、置換位置は１位〜４位（▲１▼〜▲４▼の位置）のいずれでも良いが、好ましくは２位又は４位（▲２▼又は▲４▼の位置）である。
【００６１】
また、環Ｄ−２，Ｄ−３が置換基を有する場合、置換位置は１位〜５位（▲１▼〜▲５▼の位置）のいずれでも良いが、好ましくは１位（▲１▼の位置）又は３位（▲３▼の位置）である。
【００６２】
また、環Ｅが置換基を有する場合、置換位置は１位〜４位（▲１▼〜▲４▼の位置）のいずれでも良いが、好ましくは１位（▲１▼の位置）又は２位（▲２▼の位置）である。
【００６３】
また、環Ｆが置換基を有する場合、置換位置は１位〜４位（▲１▼〜▲４▼の位置）のいずれでも良いが、好ましくは１位（▲１▼の位置）又は２位（▲２▼の位置）である。
【００６４】
また、Ｒ1K，Ｒ2Kとしては、好ましくは炭素数１〜１０の、直鎖状もしくは分岐鎖状の置換されていても良いアルキル基、炭素数４〜８の、置換されていても良いアルコキシアルキル基、炭素数８〜１４の、置換されていても良いアリールオキシアルキル基が挙げられ、Ｒ3Bとしては、好ましくは炭素数１〜８の直鎖状もしくは分岐鎖状のアルキル基、炭素数１〜８のアルコキシ基、炭素数２〜９のアルコキシカルボニル基、炭素数２〜８のＮＲ5Ｒ6基が挙げられ、Ｒ4J，Ｒ4Kとしては、好ましくは非置換のフェニル基または置換基としてメチル基、エチル基、メトキシ基、エトキシ基、塩素原子、フッ素原子、トリフルオロメチル基を有しているフェニル基、炭素数１〜８の置換されていても良いアルキル基が挙げられ、Ｒ5I〜Ｒ5R，Ｒ6I〜Ｒ6O，Ｒ6Q，Ｒ6Rとしては、好ましくはそれぞれ独立に、水素原子、炭素数１〜４の置換されていても良いアルキル基が挙げられ、Ｒ6Pとしては、好ましくは炭素数４〜８の、置換されていても良いアルキル基、炭素数４〜８の置換されていても良いアルコキシ基が挙げられ、Ｒ6Pa、Ｒ6Pbとしては、好ましくはそれぞれ独立に、水素原子、炭素数１〜４の置換されていても良いアルキル基が挙げられ、Ｒ15Eとしては、好ましくは炭素数１〜４の直鎖状もしくは分岐鎖状のアルキル基、水素原子、又はトリフルオロメチル基が挙げられ、Ｒ22としては、シアノ基又は炭素数２〜９のアルコキシカルボニル基が挙げられ、Ｚ'としては、水素原子、塩素原子又は臭素原子が挙げられる。
【００６５】
なお、一般式（Ｉ）〜（XVI）で表される色素における各置換基の具体例としては、次のようなものが例示される。
【００６６】
アルキル基としては、炭素数１〜１２、好ましくは炭素数１〜１０の直鎖状もしくは分岐鎖状のアルキル基が挙げられ、具体的には、メチル基、エチル基、ｎ−プロピル基、ｉ−プロピル基、ｎ−ブチル基、ｉ−ブチル基、ｔ−ブチル基、ｎ−ヘキシル基、ｎ−オクチル基、２−エチルヘキシル基等が挙げられる。
【００６７】
アルキル基が置換されている場合、置換基としては、ハロゲン原子、アルコキシ基、アリール基、シアノ基、アリールオキシ基、アルコキシカルボニル基、アリールオキシカルボニル基等が挙げられる。
【００６８】
置換されたアルキル基としては、次のようなものが挙げられる。
【００６９】
２−エトキシエチル基、２−ｎ−プロポキシエチル基、２−ｎ−ブトキシエチル基、４−ｉ−プロポキシブチル基、３−ｉ−ブトキシプロピル基等のアルコキシ基置換アルキル基；２−クロロエチル基、４−クロロブチル基、トリフルオロメチル基等のハロゲン原子置換アルキル基；シアノエチル基等のシアノ基置換アルキル基；ベンジル基、２−フェニルエチル基、ｐ−クロロベンジル基等のアリール基置換アルキル基；フェノキシメチル基、２−フェノキシエチル基、４−フェノキシブチル基等のアリールオキシ基置換アルキル基；２−メトキシカルボニルエチル基、３−ｎ−ブトキシカルボニルプロピル基、２−アリルオキシカルボニルエチル基等のアルコキシカルボニル基置換もしくはアリールオキシカルボニル基置換アルキル基；２−フェノキシカルボニルエチル基、４−ｐ−クロロフェノキシカルボニルブチル基等のアリールオキシカルボニル基置換アルキル基；２−ベンジルオキシエチル基、４−ベンジルオキシブチル基等のアラルキルオキシ基置換アルキル基；２−アセトキシエチル基、２−ベンゾイルオキシエチル基、４−アセトキシブチル基等のアシルオキシ基置換アルキル基。
【００７０】
アリール基としては、炭素数１〜８、好ましくは炭素数１〜６の直鎖状もしくは分岐鎖状のアルキル基、フッ素原子、塩素原子、臭素原子等のハロゲン原子、炭素数１〜４のフルオロアルキル基、炭素数１〜８の直鎖状又は分岐鎖状のアルコキシ基等の置換基を有していても良いフェニル基が挙げられる。
【００７１】
シクロアルキル基としては、シクロペンチル基、シクロヘキシル基等の炭素数５〜７のシクロアルキル基が挙げられる。
【００７２】
アルコキシ基としては、メトキシ基、エトキシ基、ｎ−プロポキシ基、ｉ−プロピルオキシ基、ｎ−ブチルオキシ基、ｉ−ブチルオキシ基、ｓ−ブチルオキシ基、ｔ−ブチルオキシ基、ｎ−へキシルオキシ基、ｎ−オクチルオキシ基、ｓ−オクチルオキシ基、２−エチルヘキシルオキシ基、２−エトキシエトキシ基、３−メトキシブチルオキシ基、２−ｎ−ブトキシエトキシ基等の炭素数１〜１２、好ましくは炭素数１〜８のアルコキシ基が挙げられる。
【００７３】
アルコキシ基が置換されている場合、置換基としては、ハロゲン原子、アルコキシ基、アリール基、シアノ基、アリールオキシ基、アルコキシカルボニル基、アリールオキシカルボニル基等が挙げられ、これらの置換基を有する炭素数１〜１２、好ましくは炭素数１〜８の直鎖状もしくは分岐鎖状のアルコキシ基が挙げられる。
【００７４】
アルコキシカルボニル基としては、メトキシカルボニル基、エトキシカルボニル基、ｎ−プロポキシカルボニル基、ｉ−プロピルオキシカルボニル基、ｎ−ブチルオキシカルボニル基、ｉ−ブチルオキシカルボニル基、ｔ−ブチルオキシカルボニル基、ｎ−ヘキシルオキシカルボニル基、ｎ−オクチルオキシカルボニル基、２−エチルヘキシルオキシカルボニル基等の炭素数２〜１２、好ましくは炭素数２〜１０のアルコキシカルボニル基が挙げられる。
【００７５】
アルコキシカルボニル基が置換されている場合、置換基としては、ハロゲン原子、アルコキシ基、アリール基、シアノ基、アリールオキシ基、アルコキシカルボニル基、アリールオキシカルボニル基等が挙げられ、これらの置換基を有する炭素数２〜１２、好ましくは炭素数２〜１０の直鎖状もしくは分岐鎖状のアルコキシカルボニル基が挙げられる。
【００７６】
ハロゲン原子としては、フッ素原子、塩素原子、臭素原子等が挙げられる。
【００７７】
アリールオキシ基としては、置換基として、炭素数１〜８の直鎖状もしくは分岐鎖状のアルキル基、フッ素原子、塩素原子、臭素原子等のハロゲン原子、炭素数１〜４のフルオロアルキル基、炭素数１〜８の直鎖状又は分岐鎖状のアルコキシ基等を有していても良いフェニルオキシ基が挙げられる。
【００７８】
アルキルカルボニル基としては、メチルカルボニル基、エチルカルボニル基、ｎ−プロピルカルボニル基、ｉ−プロピルカルボニル基、ｎ−ブチルカルボニル基、ｉ−ブチルカルボニル基、ｔ−ブチルカルボニル基、ｎ−ヘキシルカルボニル基、ｎ−オクチルカルボニル基、２−エチルヘキシルカルボニル基等の炭素数２〜１２、好ましくは２〜９のアルキルカルボニル基が挙げられる。
【００７９】
アルキルカルボニル基が置換されている場合、置換基としては、ハロゲン原子、アルコキシ基、アリール基、シアノ基、アリールオキシ基、アルコキシカルボニル基、アリールオキシカルボニル基等が挙げられ、これらの置換基を有する炭素数２〜１５、好ましくは炭素数２〜９の、直鎖状もしくは分岐鎖状のアルコキルカルボニル基が挙げられる。
【００８０】
アリールカルボニル基としては、置換基として、炭素数１〜８の直鎖状もしくは分岐鎖状のアルキル基、フッ素原子、塩素原子、臭素原子等のハロゲン原子、炭素数１〜４のフルオロアルキル基、炭素数１〜８の直鎖状又は分岐鎖状のアルコキシ基等を有していても良いフェニルカルボニル基が挙げられる。
【００８１】
前記一般式（Ｉ）〜（XVI）で示される各色素の分子量は、通常、１０００以下、中でも９００以下、好ましくは、８００以下程度である。
【００８２】
また、イエロー色材層中の（Ｉ）、（XIII）〜（XVI）のイエロー色素の最大吸収波長λｍａｘは３５０〜４８０ｎｍが好適である。
【００８３】
本発明における、一般式（Ｉ）〜（XVI）で示される色素は、従来公知の方法に従って製造することができる。
【００８４】
前記一般式（Ｉ）〜（XVI）で表される色素化合物の具体例を、下記表１〜１７に例示するが、何らこれらに限定されるものではない。
【００８５】
【表１】
0004337320.tif 000012
【００８６】
【表２】
0004337320.tif 000013
【００８７】
【表３】
0004337320.tif 000014
【００８８】
【表４】
0004337320.tif 000015
【００８９】
【表５】
0004337320.tif 000016
【００９０】
【表６】
0004337320.tif 000017
【００９１】
【表７】
0004337320.tif 000018
【００９２】
【表８】
0004337320.tif 000019
【００９３】
【表９】
0004337320.tif 000020
【００９４】
【表１０】
0004337320.tif 000021
【００９５】
【表１１】
0004337320.tif 000022
【００９６】
【表１２】
0004337320.tif 000023
【００９７】
【表１３】
0004337320.tif 000024
【００９８】
【表１４】
0004337320.tif 000025
【００９９】
【表１５】
0004337320.tif 000026
【０１００】
【表１６】
0004337320.tif 000027
【０１０１】
【表１７】
0004337320.tif 000028
【０１０２】
【表１８】
0004337320.tif 000029
【０１０３】
本発明の感熱転写用シートセットは、イエロー色材層に前記一般式（Ｉ）で表される色素を少なくとも１種、中でも１〜３種含有し、マゼンタ、シアンの各色材層に、それぞれ、一般式（II）〜（VII）、一般式（VIII）〜（XII）で示される色素を、少なくとも１種、中でも１〜３種含有するものであり、イエロー色材層には、好ましくは、更に、一般式（XIII）〜（XVI）で表される色素から選ばれる色素を少なくとも１種、中でも１〜３種を組み合わせて含有させるものである。
【０１０４】
本発明の感熱転写用シートセットの性能を損なわない限り、イエロー色材層に前記一般式（Ｉ）で示される色素を他の構造のイエロー色素と併用しても良いし、同様に、マゼンタ、シアンの各色材層にも、各々その他の構造のマゼンタ、シアン色素を併用しても良い。
【０１０５】
上記の色素を用いて色材層を形成する方法は特に限定されないが、通常、色素を結着剤と共に媒体中に溶解或いは微粒子状に分散させることによりインクを調製し、該インクを、基材としてのベースフィルム上に塗布、乾燥する方法が採用される。
【０１０６】
ここで使用される結着剤としては、セルロース系、アクリル酸系、澱粉系、エポキシ系などの水溶性樹脂や、アクリル樹脂、メタクリル樹脂、ポリスチレン、ポリカーボオネート、ポリエーテルスルホン、ポリビニルブチラール、エチルセルロース、アセチルセルロース、ポリエステル、ＡＳ樹脂、フェノキシ樹脂などの有機溶剤に可溶性の樹脂を挙げることができ、色材層形成用の感熱転写インク中の結着剤と色素との比率は、通常、結着剤：色素＝１：２〜２：１（重量比）の範囲が適当である。なお、結着剤についても１種を単独で用いても良く、２種以上を混合して用いても良い。
【０１０７】
また、媒体としては、水、メチルアルコール、エチルアルコール、イソプロピルアルコール、イソブチルアルコールなどのアルコール類、メチルセロソルブ、エチルセロソルブなどのセロソルブ類、トルエン、キシレン、クロロベンゼンなどの芳香族類、酢酸エチル、酢酸ブチルなどのエステル類、アセトン、メチルエチルケトン、メチルイソブチルケトン、シクロヘキサノンなどのケトン類、塩化メチレン、クロロホルム、トリクロロエチレンなどの塩素系溶剤、テトラヒドロフラン、ジオキサンなどのエーテル類、Ｎ，Ｎージメチルホルムアミド、Ｎ−メチルピロリドンなどの有機溶剤を挙げることができ、これらは１種を単独で用いても、２種以上を混合して用いても良い。
【０１０８】
本発明で用いるインク中には、上記色素、結着剤及び媒体の他に、必要に応じて有機、無機の非昇華性微粒子、分散剤、帯電防止剤、消泡剤、酸化防止剤、粘度調製剤などの添加剤を添加することができる。
【０１０９】
インク中の、色素の濃度（２種以上の色素を用いる場合はその合計濃度）は、イエロー、マゼンダ、シアン共に、それぞれインク１００重量部中において、０．５〜２０重量部、特に１〜１５重量部、とりわけ２〜１０重量部とするのが好ましい。また、色素以外の上記のような添加剤の割合は、インク１００重量部中において５重量部以下、特に３重量部以下であり、これらの添加剤を添加する場合の下限値としては０．０１重量部以上、特に０．５重量部以上であることが好ましい。
【０１１０】
なお、イエローの色材層中に、一般式（Ｉ）で表される色素と、一般式（XIII）〜（XVI）で表される色素とを併用する場合、その比率は任意であるが、一般式（Ｉ）で表される色素：一般式（XIII）〜（XVI）で表される色素＝１：９〜９：１（重量比）、特に２：８〜８：２、とりわけ３：７〜７：３とするのが好ましい。一般式（XIII）〜（XVI）で表される色素の中で２種以上のものを用いる場合、その併用比率は任意である。
【０１１１】
ＳＷＯＰ（Specifications Web Offset publications）色目の要求基準を満たすためには、上記範囲において適宜比率を選定すれば良いが、例えば、一般式（Ｉ）で表される色素：一般式（XIII）〜（XVI）で表される色素＝３：７〜５：５（重量比）とするのが好ましい。
【０１１２】
転写シート作成のためのインクを塗布する基材となるベースフィルムとしては、コンデンサー紙、グラシン紙のような薄葉紙、ポリエステル、ポリカーボネート、ポリアミド、ポリイミド、ポリアラミドのような耐熱性の良好なプラスチックのフィルムが好適であり、その厚さとしては、通常３〜５０μｍの範囲が適当である。
【０１１３】
上記のベースフィルムのなかでは、ポリエチレンテレフタレートフィルムが機械的強度、耐溶剤性、経済性などを考慮すると特に有利である。しかし、場合によってはポリエチレンテレフタレートフィルムは必ずしも耐熱性が十分でなく、サーマルヘッドの走行性が不十分であるので、色材層を形成した面とは反対側の面に潤滑剤、滑性の高い耐熱性微粒子、界面活性剤及び結着剤などを含む耐熱性樹脂層を設けることにより、サーマルヘッドの走行性を改良したものを用いることができる。この場合、潤滑剤としては、例えばアミノ変性シリコーン化合物、カルボキシ変性シリコーン化合物等の変性シリコーン化合物が挙げられ、耐熱性微粒子としては、シリカ等の微粒子、結着剤としてはアクリル系樹脂等が挙げられる。この耐熱性樹脂層の厚みは、通常０．１〜５０μｍの範囲が好適である。
【０１１４】
ベースフィルムへのインクの塗布は、グラビアコーター、リバースロールコーター、ロッドコーター、エアドクタコーター等を使用して実施することができ、インクは、色材層の乾燥後の厚さが０．１〜５μｍの範囲となるように塗布するのが好ましい。
【０１１５】
本発明の感熱転写シートは加熱手段としてサーマルヘッドのみならず赤外線、レーザー光なども利用することができる。また、ベースフィルムそのものに電気を流すことによって発熱する通電発熱フィルムを用いて、通電型染料転写シートとして用いることもできる。
【０１１６】
【実施例】
以下に実施例及び比較例を挙げて本発明をより具体的に説明するが、本発明はその要旨を超えない限り、以下の実施例に限定されるものではない。
【０１１７】
実施例１
下記配合組成の混合物を超音波洗浄機で３０分間処理して各々のインクを調製した。
【０１１８】
＜イエローインク配合＞
Ｎｏ．I−１の色素                      ２．４重量部
Ｎｏ．XIII−１の色素                    ３．６重量部
フェノキシ樹脂（ユニオンカーバイド社製「ＰＫＨＪ」）    １０重量部
テトラヒドロフラン                      ９０重量部
＜マゼンタインク配合＞
Ｎｏ．VI−１の色素                      ３．０重量部
Ｎｏ．IV−１の色素                      ２．０重量部
Ｎｏ．IV−２の色素                      １．０重量部
フェノキシ樹脂（ユニオンカーバイド社製「ＰＫＨＪ」）    １０重量部
テトラヒドロフラン                      ９０重量部
＜シアンインク配合＞
Ｎｏ．IX−１の色素                      ０．９重量部
Ｎｏ．VIII−１の色素                    ２．６重量部
Ｎｏ．XI−１の色素                      ２．５重量部
フェノキシ樹脂（ユニオンカーバイド社製「ＰＫＨＪ」）    １０重量部
テトラヒドロフラン                      ９０重量部
【０１１９】
得られたインクをワイヤバーを用いてポリエチレンテレフタレートフィルム（６μｍ厚）上に塗布、乾燥（乾燥膜厚約１μｍ）して色材層を形成した後、このポリエチレンテレフタレートフィルムの背面にアクリル樹脂（商品名：ＢＲ−８０；三菱レイヨン（株）製）１０重量部、アミノ変性シリコーンオイル（商品名：ＫＦ３９３；信越化学工業（株）製）１重量部、及びトルエン８９重量部からなる液を塗布、乾燥（乾燥膜厚約１μｍ）することにより耐熱性樹脂層を形成して感熱転写シートを得た。
【０１２０】
上記のインクをワイヤバーを用いてポリエチレンテレフタレートフィルム（６μｍ厚）上に塗布、乾燥（乾燥膜厚約１μｍ）した後、ポリエチレンテレフタレートフィルム背面にアクリル樹脂（商品名：ＢＲ−８０；三菱レイヨン株式会社製品）１０重量部、アミノ変性シリコーンオイル（商品名：ＫＦ３９３；信越化学工業株式会社製品）１重量部、トルエン８９重量部からなる液を塗布、乾燥（乾燥膜厚約１μｍ）することにより感熱転写シートを得た。
【０１２１】
上記の感熱転写シートを松下電器産業（株）製プリンタ「ＮＶ−ＭＰＸ５」のＶＭ−ＭＰＡ５０のインクリボンとつなぎ合わせ、ＶＭ−ＭＰＡ５０記録紙にプリンタ「ＮＶ−ＭＰＸ５」でイエロー、マゼンタ、シアン、レッド、グリーン、ブルー、ブラックの階調画像の記録を行なった。
【０１２２】
得られたイエロー画像の記録物の色濃度を測定し、結果を表１９に示した。なお、色濃度は分光測色計（商品名：SPM-50グレタグ社製）を用いて測定した。
【０１２３】
また、得られた７色の記録物（イエロー画像記録濃度約１．０の階調部分のもの）の耐光性試験をキセノンランプフェードメーター（スガ試験器株式会社製品）を用いて実施し（ブラックパネル温度：６３±２℃）、８０時間照射後の記録物の変退色の程度（△Ｅ（Ｌ*ａ*ｂ*））を求め、結果を表１９に示した。
【０１２４】
実施例２〜１１、比較例１，２
実施例１において、色素として、表１９，２０に示すものを用いたこと以外は同様にして、インクの調製、感熱転写シートの作成、転写記録及び評価を行い、結果を表１９，２０に示した。
【０１２５】
【表１９】
0004337320.tif 000030
【０１２６】
【表２０】
0004337320.tif 000031
【０１２７】
実施例１２
実施例１で用いたインクのかわりに下記方法で調製したインクを用いて、実施例１と同様の方法により転写シートを作製、転写記録及び評価を行った結果、均一な色濃度の記録を得ることができ、また得られた記録物の耐光性は良好であることが確認された。
【０１２８】
＜イエローインク配合＞
Ｎｏ．Ｉ−１の色素                      ２．４重量部
Ｎｏ．XIII−１の色素                    ３．６重量部
ＡＳ樹脂（製品名：デンカＡＳ−Ｓ；電気化学工業（株）製品）１０重量部
トルエン                                  ７０重量部
シクロヘキサノン                          １０重量部
＜マゼンタインク配合＞
Ｎｏ．VI−１の色素                      ３．０重量部
Ｎｏ．IV−１の色素                      ２．０重量部
Ｎｏ．IV−２の色素                      １．０重量部
ＡＳ樹脂（製品名：デンカＡＳ−Ｓ；電気化学工業（株）製品）１０重量部
トルエン                                  ７０重量部
シクロヘキサノン                          １０重量部
＜シアンインク配合＞
Ｎｏ．IX−１の色素                      ０．９重量部
Ｎｏ．VIII−１の色素                    ２．６重量部
Ｎｏ．XI−１の色素                      ２．５重量部
ＡＳ樹脂（製品名：デンカＡＳ−Ｓ；電気化学工業（株）製品）１０重量部
トルエン                                  ７０重量部
シクロヘキサノン                          １０重量部
【０１２９】
上記の実施例と比較例の対比から明らかなように、本発明に従って、特定のイエロー色材層、マゼンタ色材層、シアン色材層を組み合わせて感熱転写記録を行った画像は、イエロー、マゼンタ、シアン、レッド、グリーン、ブルー、ブラックの階調画像の記録が良好に行われ、特に低エネルギーで高い濃度の鮮明なイエロー及びのブラックの記録物を得ることができ、また、これまで高耐光性を得ることが難しかったイエロー画像、ブラック画像においても良好な結果が得られ、記録物の保存性が極めて高い、総合的に優れた性能を有することが明らかである。
【０１３０】
【発明の効果】
以上詳述した通り、本発明によれば、感熱転写記録用色素に要求されるすべての特性において総合的に優れた性能を有し、特に、低エネルギーで高い濃度の鮮明な黄色及び黒色の記録物を得ることができ、しかも得られる記録物の耐光性が良好な感熱転写用シートセット及びこれを用いたフルカラープリント方法が提供される。